【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
エレベーターシステムの制御方法であって、該方法は：
主電力供給装置が故障または停電した場合、エレベーターのかごへの電力を、主電力供給装置からバックアップ電力供給装置へ、中断なく切り換えること；および
エレベーターのかごへの電力を、主電力供給装置からバックアップ電力供給装置へ切り換えた後：
エレベーターのかごの保留中の操作を完了するか；または、
エレベーターのかごを、エレベーターのかごの保留中の操作に基づいて、予め決められた階へ移動させること
を含む、方法。
【請求項２】
請求項１の方法であって、
主電力供給装置がＡＣ電源を含み；および
バックアップ電力供給装置がＤＣ電源を含む、
方法。
【請求項３】
請求項１または２の方法であって、バックアップ電力供給装置が：
正極板(複数)および負極板(複数)で構成される電極スタックであって：
正極板(複数)は、それぞれ：
マンガン；
圧縮金属発泡体；および
電極スタックの周辺部を越えて延びる正極板延長部(複数)であって、正極板(複数)は、正極板延長部(複数)が互いに整列するように配置されるもの；
を含み、負極板(複数)は、それぞれ：
亜鉛；
圧縮金属発泡体；および
電極スタックの周辺部を越えて延びる負極板延長部(複数)であって、負極板(複数)は、負極板延長部(複数)が互いに整列するように配置されるもの；
を含む電極スタック；
正極板延長部(複数)を結合することによって形成された、正電流コレクタ(複数)；および
負極板延長部(複数)を結合することによって形成された、負電流コレクタ(複数)
を含む、充電式角柱状電池
を含む、方法。
【請求項４】
エレベーターのかご；
主電力供給装置；および
エレベーターのかごに取り付けられたバックアップ電力供給装置
を含む、エレベーターシステム。
【請求項５】
請求項４のエレベーターシステムであって、バックアップ電力供給装置がエレベーターのかごの上部に位置する、エレベーターシステム。
【請求項６】
請求項４または５のエレベーターシステムであって、
主電力供給装置がＡＣ電源を含み；および
バックアップ電力供給装置がＤＣ電源を含む、
エレベーターシステム。
【請求項７】
請求項４〜６のいずれか１項のエレベーターシステムであって、
バックアップ電力供給装置のための太陽光再充電能力
を含む、エレベーターシステム。
【請求項８】
請求項４〜７のいずれか１項のエレベーターシステムであって、バックアップ電力供給装置が：
正極板(複数)および負極板(複数)で構成される電極スタックであって：
正極板(複数)は、それぞれ：
マンガン；
圧縮金属発泡体；および
電極スタックの周辺部を越えて延びる正極板延長部(複数)であって、正極板(複数)は、正極板延長部(複数)が互いに整列するように配置されるもの；
を含み、負極板(複数)は、それぞれ：
亜鉛；
圧縮金属発泡体；および
電極スタックの周辺部を越えて延びる負極板延長部(複数)であって、負極板(複数)は、負極板延長部(複数)が互いに整列するように配置されるもの；
を含む電極スタック；
正極板延長部(複数)を結合することによって形成される、正電流コレクタ(複数)；および
負極板延長部(複数)を結合することによって形成される、負電流コレクタ(複数)
を含む、充電式角柱状電池
を含む、エレベーターシステム。
【請求項９】
正極板(複数)、負極板(複数)、およびそれらの間のセパレータ層(複数)から構成される電極スタックであって：
正極板(複数)が電極スタックの周辺部を越えて延びる正極板延長部(複数)を含み、正極板(複数)は、正極板延長部(複数)が互いに整列するように配置され；および
負極板(複数)が電極スタックの周辺部を越えて延びる負極板延長部(複数)を含み、負極板(複数)は、負極板延長部(複数)が互いに整列するように配置される電極スタック；
正極板延長部(複数)を結合することによって形成される、正電流コレクタ(複数)；および
負極板延長部(複数)を結合することによって形成される、負電流コレクタ(複数)
を含む、角柱状電池。
【請求項１０】
請求項９の角柱状電池であって、角柱状電池が充電可能である、角柱状電池。
【請求項１１】
請求項９または１０の角柱状電池であって、正極板(複数)は、それぞれ、マンガン、圧縮金属発泡体を含み、負極板(複数)は、それそれ、亜鉛、圧縮金属発泡体を含む、角柱状電池。
【請求項１２】
請求項９〜１１のいずれか１項の角柱状電池であって、正電流コレクタ(複数)が、１つの正端子に接続される、角柱状電池。
【請求項１３】
請求項９〜１２のいずれか１項の角柱状電池であって、負電流コレクタ(複数)が、１つの負端子に接続される、角柱状電池。
【請求項１４】
請求項９〜１３のいずれか１項の角柱状電池であって、正極板(複数)の電極スタックの周辺部が有限数の側面を含み、さらに、正極板延長部(複数)が結合して電極スタックの多数の側面に正電流コレクタ(複数)を形成する、角柱状電池。
【請求項１５】
請求項１４の角柱状電池であって、正電流コレクタ(複数)が電極スタックの側面(複数)と同延である、角柱状電池。
【請求項１６】
請求項９〜１５のいずれか１項の角柱状電池であって、負極板(複数)の電極スタックの周辺部が有限数の側面を含み、さらに、負極板延長部(複数)が結合して電極スタックの多数の側面に負電流コレクタ(複数)を形成する、角柱状電池。
【請求項１７】
請求項１６の角柱状電池であって、正電流コレクタ(複数)が電極スタックの側面(複数)と同延である、角柱状電池。
【請求項１８】
請求項９〜１７のいずれか１項の角柱状電池であって、正極板(複数)の電極スタックの周辺部が偶数の側面を含み、さらに、正極板延長部(複数)が結合して電極スタックの１つおきの側面に正電流コレクタ(複数)を形成する、角柱状電池。
【請求項１９】
請求項９〜１８のいずれか１項の角柱状電池であって、負極板(複数)の電極スタックの周辺部が偶数の側面を含み、さらに、負極板延長部(複数)が結合して電極スタックの１つおきの側面に負電流コレクタ(複数)を形成する、角柱状電池。
【請求項２０】
請求項９〜１９のいずれか１項の角柱状電池であって、全ての正極板(複数)が同一であり、全ての負極板(複数)が同一である、角柱状電池。
【請求項２１】
請求項９〜２０のいずれか１項の角柱状電池であって、全ての正極板延長部(複数)および全ての負極板延長部が同一の角度で曲がっている、角柱状電池。
【請求項２２】
角柱状電池の製造方法であって、
正極板(複数)、負極板(複数)、およびそれらの間のセパレータ層(複数)を積み重ねることであって：
正極板(複数)が電極スタックの周辺部を越えて延びる正極板延長部(複数)を含み、正極板(複数)は、正極板延長部(複数)が互いに整列するように配置され；および
負極板(複数)が電極スタックの周辺部を越えて延びる負極板延長部(複数)を含み、負極板(複数)は、負極板延長部(複数)が互いに整列するように配置されるもの；
正極板延長部(複数)を結合して、正電流コレクタ(複数)を形成すること；および
負極板延長部(複数)を結合して、負電流コレクタ(複数)を形成すること
を含む、角柱状電池の製造方法。
【請求項２３】
平板電極セルであって、
マンガン；および
圧縮金属発泡体；
をそれぞれ含む正極板(複数)；並びに、
亜鉛；および
圧縮金属発泡体；
をそれぞれ含む負極板(複数)：
を含む、平板電極セル。
【請求項２４】
請求項２３の平板電極セルであって、
正極板(複数)が、一列に並んだ正電極板延長部(複数)を有し；かつ
負極板(複数)が、一列に並んだ負電極板延長部(複数)を有し；かつ
平板電極セルが、さらに、
正極板(複数)の一列に並んだ正極板延長部(複数)から形成される正端子；および
負極板(複数)の一列に並んだ負極板延長部(複数)から形成される負端子
を含む、平板電極セル。